(57)【特許請求の範囲】
【請求項１】
圧電材料により形成された素子片、平面視で前記素子片の中央部に設けられた励振電極、および、前記励振電極から前記素子片の外周縁に向かって延出しており、前記励振電極と前記素子片の前記外周縁との間の領域である外周端部に設けられている接続電極を含む振動素子と、
ベース基板と、
前記ベース基板の厚さ方向における一方側において、平面視で前記接続電極と重なる位置に設けられており、前記ベース基板と前記振動素子とを接続している接続部と、
前記ベース基板の前記一方側において、平面視で前記外周端部に重なり、かつ前記接続部とは異なる位置に設けられている第１支持部および第２支持部と、を備え、
前記第１支持部は、前記振動素子の中心及び前記接続部を通る第１の軸によって２つに分けられる前記振動素子の一方の領域であって、前記第１の軸を前記振動素子の中心を基点として９０°回転させた第２の軸に対して、±１０°の領域に設けられており、
前記第２支持部は、前記第１の軸によって２つに分けられる前記振動素子の他方の領域であって、前記第２の軸に対して、±１０°の領域に設けられており、
前記振動素子は、前記接続部、前記第１支持部、および前記第２支持部の３つの部分で支持されていることを特徴とする振動子。
【請求項２】
振動素子と、
ベース基板と、
前記ベース基板の厚さ方向における一方側において、平面視で前記振動素子の外周端部と重なる位置に設けられている接続部と、
前記ベース基板の前記一方側において、平面視で前記外周端部と重なり、かつ前記接続部とは異なる位置に設けられている支持部と、を備え、
前記支持部は、前記振動素子の中心及び前記接続部を通る軸を、前記振動素子の中心を基点として９０°回転させた軸に対して、±１０°の領域に設けられており、
前記振動素子は、水晶基板を含む水晶振動素子であり、
前記接続部を通る前記軸である第１の軸または前記第１の軸に直交する第２の軸が、前記水晶基板の水晶結晶軸のＸ軸に対して、１０°傾いていることを特徴とする振動子。
【請求項３】
請求項１または請求項２において、
前記ベース基板の前記一方側と表裏の関係にある他方側に加熱素子が設けられていることを特徴とする振動子。
【請求項４】
請求項３において、
前記支持部は、前記ベース基板の前記一方側に形成された金属バンプであることを特徴とする振動子。
【請求項５】
請求項３または請求項４において、
前記加熱素子が設けられている領域の前記ベース基板と前記加熱素子の間には、熱伝導層が設けられていることを特徴とする振動子。
【請求項６】
請求項３ないし請求項５のいずれか一項において、
前記加熱素子は、パワートランジスターであることを特徴とする振動子。
【請求項７】
請求項１ないし請求項６のいずれか一項に記載の振動子と、
前記振動子と電気的に接続されている回路素子と、
前記振動子、および前記回路素子を搭載しているパッケージと、を備えていることを特徴とする発振器。
【請求項８】
請求項１ないし請求項６のいずれか一項に記載の振動子を備えていること特徴とする電子機器。
【請求項９】
請求項１ないし請求項６のいずれか一項に記載の振動子を備えていること特徴とする移動体。
【発明の詳細な説明】
【技術分野】
【０００１】
本発明は、振動子、それを用いた発振器、電子機器、ならびに移動体に関する。
【背景技術】
【０００２】
従来、振動素子がパッケージに導電性接着剤や共晶合金を接合材として接続された振動子が知られている。例えば特許文献１に記載されている圧電デバイス（振動子）では、振動素子（水晶片）を気密に封止するパッケージのベースに設けられた凹状の穴内において、振動素子の一方の外周端部が共晶合金によってベースに接合されている。そして、振動素子の他方の外周端部は、ベースに設けられている枕台（スペーサー）に支えられている。このように、振動素子は、枕台を枕として共晶合金によってベースと空隙を有して接続され、パッケージ内に収納されている。
【先行技術文献】
【特許文献】
【０００３】
【特許文献１】特開２００４−８０７１１号公報
【発明の概要】
【発明が解決しようとする課題】
【０００４】
上述したような振動子は、例えば回路基板に半田実装する際のリフロー炉への投入やＯＣＸＯ（Ｏｖｅｎ  Ｃｏｎｔｒｏｌｌｅｄ  Ｘｔａｌ  Ｏｓｃｉｌｌａｔｏｒ：温度制御型水晶発振器）に用いる場合など、外部から加熱されることがある。このように、振動子が加熱された場合、熱膨張によってパッケージが反ってしまうなどの変形を生じ、枕台と振動素子とが接触したり、枕台と振動素子との接触によって生じている応力が変化したりして、振動子の特性（例えば、周波数温度特性）が劣化してしまうなどの影響を与えてしまう虞を有していた。
【課題を解決するための手段】
【０００５】
本発明は、上述の課題の少なくとも一部を解決するためになされたものであり、以下の形態または適用例として実現することが可能である。
【０００６】
［適用例１］本適用例に係る振動子は、振動素子と、前記振動素子の外周端部に設けられている接続部と、前記接続部と異なる位置の前記外周端部に設けられている支持部と、を備え、前記接続部は、前記振動素子の中心を通る第１軸上、または前記第１軸と直交し、前記振動素子の中心を通る第２軸上に設けられ、前記支持部は、前記接続部の設けられている前記第１軸、または前記第２軸を、前記振動素子の中心を基点として９０°回転した第３軸に対して、±１０°の領域の前記外周端部に設けられていることを特徴とする。
【０００７】
本適用例によれば、接続部は、振動素子の中心を通る第１軸上と、第１軸に直交し振動素子の中心を通る第２軸上のいずれかに設けられている。また、支持部は、接続部の設けられている第１軸、または第２軸を、振動素子の中心を基点として９０°回転した第３軸に対して、±１０°の領域の外周端部に設けられている。この配置により、接続部と支持部とが概ね９０°ずれるため、振動素子の振動領域を間に挟まずに、接続部と支持部とを配置することができる。これにより、加熱されたパッケージに反りなどの変形が生じ、接続部と支持部との間の応力が大きくなっても、振動領域に与える影響を減少させることができる。また、加えて、振動素子を支えることができる接続部と支持部との位置関係にあって、接続部と支持部との間の距離を短くすることができるため、加熱されたパッケージの変形量（反り量）を減少させることができる。
これらにより、振動子が外部から加熱され、熱膨張によってパッケージに反りなどの変形を生じた場合に、振動素子の特性にその影響を与え難くなり、例えば温度特性などの振動子の特性劣化を防止することが可能となる。
【０００８】
［適用例２］上記適用例に記載の振動子において、前記支持部は、前記接続部の配置された前記第１軸または前記第２軸に対して両側に一つずつ設けられていることが好ましい。
【０００９】
本適用例によれば、接続部および支持部が、接続部を一つの頂点とした三点で配置されるため、振動素子の接続姿勢をより安定化させることが可能となる。
【００１０】
［適用例３］上記適用例に記載の振動子において、前記振動素子は、水晶から形成された水晶振動素子であり、前記第１軸は、水晶結晶軸のＸ軸に対して、１０°傾いていることが好ましい。
【００１１】
本適用例によれば、水晶結晶軸の電気軸であるＸ軸に対して１０°傾いている第１軸上に接続部あるいは支持部が設けられている。このような、Ｘ軸に対して１０°傾いている第１軸（接続部あるいは支持部）を備えた水晶振動素子（ＳＣカット水晶振動素子）は、応力が加わった場合の特性に対する影響を小さくすることが可能であり、例えば温度特性などを向上させることができる。
【００１２】
［適用例４］上記適用例に記載の振動子において、ベース基板を有し、前記接続部および前記支持部は、前記ベース基板の一方側に配置され、前記ベース基板の前記一方側と表裏の関係にある他方側に加熱素子が設けられていることが好ましい。
【００１３】
本適用例によれば、加熱素子によって加熱されたベース基板の熱エネルギーを接続部および／または支持部を介して振動素子に伝導することが可能となる。これにより、振動素子を所定の恒温状態に保つことが可能となり、使用環境の温度変化による周波数精度を高めた振動子を提供することが可能となる。
【００１４】
［適用例５］上記適用例に記載の振動子において、前記支持部は、前記ベース基板の一方側に形成された金属バンプであることが好ましい。
【００１５】
本適用例によれば、金属バンプで支持部を構成することにより、例えばワイヤーボンディング法などの簡便な方法で熱伝導性の高い支持部を設けることが可能となる。
【００１６】
［適用例６］上記適用例に記載の振動子において、前記加熱素子が設けられている領域の前記ベース基板と前記加熱素子の間には、熱伝導層が設けられていることが好ましい。
【００１７】
本適用例によれば、加熱素子によって生じた熱エネルギーを熱伝導層によって広い面積に拡散することができ、広い面積でベース基板を加熱することができる。これによりベース基板を均一な温度で温める（加温する）ことが可能となる。
【００１８】
［適用例７］上記適用例に記載の振動子において、前記加熱素子は、パワートランジスターであることが好ましい。
【００１９】
本適用例によれば、パワートランジスターによって発生させた熱を、有効にベース（パッケージ）の加熱に利用することができ、即ち振動素子を有効に加熱することができる。これにより、加熱効率を高めることができる。
【００２０】
［適用例８］上記適用例に記載の振動子において、前記ベース基板の厚みをＴとし、前記支持部の前記ベース基板からの高さをΔｔとし、前記接続部の設けられている前記第１軸上または前記第２軸上における前記振動素子の長さをＬとしたとき、
０．００１８×Ｌ／Ｔ≦Δｔの関係に構成されていることが好ましい。
【００２１】
本適用例によれば、加熱によるベース基板の変形を生じても、ベース基板と振動素子との接触の発生を防止することができる、これにより、振動素子にベース基板が接触することによる振動子の特性劣化を防止することが可能となる。
【００２２】
［適用例９］本適用例に係る発振器は、上記適用例のいずれか一例に記載の振動子と、前記振動子と電気的に接続されている回路素子と、前記振動子、および前記回路素子を搭載しているパッケージと、を備えていることを特徴とする。
【００２３】
本適用例によれば、温度特性などの振動特性を向上させた振動子と回路素子とを用いているため、特性の安定した発振器を提供することが可能となる。また、所定の恒温状態に保たれた振動素子を備えた振動子を用いることにより、使用環境の温度変化による特性変動を抑制した発振器を提供することが可能となる。
【００２４】
［適用例１０］本適用例に係る電子機器は、上記適用例のいずれか一例に記載の振動子を備えていること特徴とする。
【００２５】
本適用例によれば、温度特性などの振動特性を向上させた振動子を用いているため、特性の安定した電子機器を提供することが可能となる。また、所定の恒温状態に保たれた振動子を用いることにより、使用環境の温度変化による特性変動を抑制した電子機器とすることが可能となる。
【００２６】
［適用例１１］本適用例に係る移動体は、上記適用例のいずれか一例に記載の振動子を備えていること特徴とする。
【００２７】
本適用例によれば、温度特性などの振動特性を向上させた振動子を用いているため、特性の安定した移動体を提供することが可能となる。また、所定の恒温状態に保たれた振動素子を備えた振動子を用いることにより、使用環境の温度変化による特性変動を抑制した移動体とすることが可能となる。
【図面の簡単な説明】
【００２８】
【図１】本発明の第１実施形態に係る振動子の概略を示し、（ａ）は蓋部材および振動素子を省略（透視）した平面図、（ｂ）は（ａ）のＡ−Ａ断面図。
【図２】振動素子の概略を示し、（ａ）は平面図、（ｂ）は正面図。
【図３】変形例に係る振動子の概略構成と加熱による振動子の変形を説明する図であり、（ａ）は変形の概略を示す正面図、（ｂ）は変形量を示すグラフ。
【図４】（ａ）は本発明に係る振動子の周波数温度特性を示すグラフ、（ｂ）は比較例に係る振動子の周波数温度特性を示すグラフ。
【図５】（ａ）は本発明に係る振動子の起動時間を示すグラフ、（ｂ）は比較例に係る振動子の起動時間を示すグラフ。
【図６】振動素子の接続部における変形例を示す平面図。
【図７】変形例の振動素子を用いた振動子のリフロー特性（周波数変化）を示すグラフ。
【図８】本発明の第２実施形態に係る発振器の概略を示す正断面図。
【図９】電子機器の一例としてのモバイル型のパーソナルコンピューターの構成を示す斜視図。
【図１０】電子機器の一例としての携帯電話機の構成を示す斜視図。
【図１１】電子機器の一例としてのデジタルスチールカメラの構成を示す斜視図。
【図１２】移動体の一例としての自動車の構成を示す斜視図。
【発明を実施するための形態】
【００２９】
以下、本発明の好適な実施形態について、添付図面を参照しつつ説明する。
【００３０】
＜第１実施形態＞
図１および図２を用い、本発明の第１実施形態に係る振動子について説明する。図１は、本発明の第１実施形態に係る振動子の概略を示し、図１（ａ）は、蓋部材および振動素子を省略（透視）した平面図であり、図１（ｂ）は、図１（ａ）のＡ−Ａ断面図である。また、図２は、第１実施形態に係る振動子に用いられる振動素子の概略を示し、図２（ａ）は平面図、図２（ｂ）は正面図である。
【００３１】
（振動子）
図１（ａ）、図１（ｂ）に示す振動子１は、振動素子１５と、振動素子１５を収納するパッケージ１３と、振動素子１５をパッケージ１３に接続する接続部２０と、振動素子１５を保持する支持部としての第１支持部２５および第２支持部２８と、パッケージ１３との間に収納空間としての内部空間１４を形成する蓋体としてのリッド２６とを有している。以下、振動素子１５、パッケージ１３、接続部２０、第１支持部２５、第２支持部２８、およびリッド２６について順次詳細に説明する。
【００３２】
（振動素子）
図２（ａ）、図２（ｂ）に示す振動素子１５は、圧電材料の一例としての水晶により形成された水晶基板（圧電基板）が用いられている。水晶等の圧電材料は三方晶系に属し、互いに直交する結晶軸Ｘ、Ｙ、Ｚを有する。Ｘ軸、Ｙ軸、Ｚ軸は、夫々電気軸、機械軸、光学軸と呼称される。そして。本実施形態に係る水晶基板は、ＳＣカット水晶基板を好適に用いることができる。ＳＣカット水晶基板は、Ｚ軸の回りに時計方向にＸ軸をφ＝３°以上３０°以下回転させて設定したＸ’軸に平行な辺を有し、Ｘ’軸の回りに時計方向にＺ軸をψ＝３３°以上３６°以下回転させたＺ’軸に平行な辺を有する、所謂ダブルローテーションカットの水晶基板の内、φ＝約２２°、ψ＝約３４°としたときの水晶基板である。なお、水晶基板は、ＸＺ面をＸ軸の回りに所定の角度θだけ回転させた平面に沿って、水晶から切り出された水晶基板であってもよく、例えば、角度θを略３５°１５′としたＡＴカット水晶基板であってもよい。
【００３３】
図２（ａ）、図２（ｂ）に示す振動素子１５は、所定の厚さ（Ｙ軸方向寸法）のＳＣカット水晶基板（圧電基板）から切り出された円盤状の素子片１８に、種々の電極が形成されている。本例では、種々の電極として、表側の主面に形成された励振電極１６および励振電極１６から外周縁２９に向って延出している接続電極２７と、表の主面と表裏の関係にある裏側の主面に形成された励振電極１７および図示しない接続電極とが設けられている。表裏の励振電極１６，１７は、素子片１８の中央部に略円形をなして設けられている。
【００３４】
また、表側の接続電極２７および裏側の図示しない接続電極は、Ｘ軸の両側にあってＸ軸に沿って延びる端辺２７ａ，２７ｂを有し、励振電極１６，１７から延出されている。なお、裏側の図示しない接続電極は、素子片１８をＹ軸方向から見た平面視で、表側の接続電極２７と略重なる位置に配置される。そして、表側の接続電極２７および裏側の図示しない接続電極は、接続電極２７のＺ軸方向の両端辺２７ａ，２７ｂと振動素子１５の外周縁２９とが交差する交点と中心Ｇとを通る仮想線ＬＷ１，ＬＷ２のそれぞれと、Ｘ軸に沿った振動素子１５の中心線Ｃ１との角度が、±１０°となるように構成することが好適である。
【００３５】
このような構成の接続電極２７および裏側の図示しない接続電極の内に接続部２０を配置することにより、後述する振動素子１５とパッケージ１３（図１参照）との接続において、好適な位置に容易に接続部２０を設けることが可能となる。換言すれば、上述のような構成の接続電極２７および裏側の図示しない接続電極は、接続部２０を好適な位置に配置するための目印として用いることができる。
【００３６】
（パッケージ）
図１（ａ）、図１（ｂ）に示すベース基板としてのパッケージ１３は、底板１１と、底板１１の表面周縁部に設けられている枠状の側壁１２と、側壁１２の上面に設けられている図示しない接合材としてのシームリングとを有している。パッケージ１３は、振動素子１５を収納するものである。
【００３７】
ベース基板としてのパッケージ１３は、上面に開放する凹部（内部空間１４）を有している。凹部の開口は、接合材としてのシームリング（図示せず）を介して側壁１２に接合されている蓋部材としてのリッド２６によって塞がれている。そして、パッケージ１３の凹部の開口が塞がれて密封された内部空間１４が形成される。密封された内部空間１４は、その内部圧力を所望の気圧に設定できる。例えば、内部空間１４に窒素ガスを充填しての大気圧としたり、真空（通常の大気圧より低い圧力（１×１０5Ｐａ〜１×１０-10Ｐａ以下（ＪＩＳ  Ｚ  ８１２６−１：１９９９））の気体で満たされた空間の状態）としたりすることで、より安定した振動素子１５の振動を継続することができる。なお、本実施形態の内部空間１４は、上記の真空に設定されている。
【００３８】
枠状の側壁１２は、略矩形状の周状に設けられており、換言すれば、上記凹部の上面に開口する開口形状が略矩形状をなしている。この板状の底板１１と枠状の側壁１２に囲まれた凹部が振動素子１５を収納する内部空間（収納空間）１４となる。枠状の側壁１２の上面には、例えばコバール等の合金で形成されたシームリング（図示せず）が設けられている。シームリングは、蓋部材としてのリッド２６と側壁１２との接合材としての機能を有しており、側壁１２の上面に沿って枠状（略矩形状の周状）に設けられている。
【００３９】
パッケージ１３は、振動素子１５やリッド２６の熱膨張係数と一致、あるいは極力近い熱膨張係数を備えた材料によって形成され、本例では、セラミックを用いている。パッケージ１３は、所定の形状に成形されたグリーンシートを積層し、焼結することによって形成される。なお、グリーンシートは、例えば所定の溶液中にセラミックのパウダーを分散させ、バインダーを添加して生成される混練物がシート状に形成された物である。
【００４０】
パッケージ１３の底部を構成する底板１１の内面には、ＰＡＤ電極２２，２３が形成されている。ＰＡＤ電極２２，２３は、例えば、銀・パラジウムなどの導電ペーストあるいはタングステンメタライズなどを用い、必要とされる形状を形成後に焼成を行い、その後ニッケルおよび金あるいは銀などをメッキすることによって形成される。ＰＡＤ電極２２，２３は、後述する振動素子１５の表側の接続電極２７および図示しない裏側の接続電極と接続されるように、本例では２箇所に設けられている。また、底板１１の外面（裏面）には、金属層である熱伝導層９や端子電極８を含む電極端子などが設けられている。熱伝導層９、および端子電極８は、例えば、焼成された銀・パラジウムなどの層に、ニッケルおよび金あるいは銀などをメッキすることによって形成することができる。なお、ＰＡＤ電極２２，２３は、パッケージ１３の外面（裏面）の端子電極８と電気的に接続されてもよい。
【００４１】
振動素子１５は、パッケージ１３の側壁１２に囲まれた凹部内に収納され、裏側の接続電極（図示せず）とＰＡＤ電極２３とが対向するように配置されている。パッケージ１３の底板１１の内底面には、振動素子１５の外周端部に対向する位置に、複数の凸部１９を含む接続部２０と、支持部としての第１支持部２５および第２支持部２８とが設けられている。そして、振動素子１５は、接続部２０、第１支持部２５、および第２支持部２８の上に載置され、接続部２０を介して接合材としての導電性接着剤２１によってパッケージ１３の底板１１に接続されている。また、表側の接続電極２７は、金属配線（ボンディングワイヤー）２４によって、ＰＡＤ電極２２と電気的に接続されている。
【００４２】
ここで、接続部２０と振動素子１５との接続について詳細に説明する。振動素子１５の外周端部に設けられている接続部２０は、パッケージ１３の底板１１の内底面に設けられた複数（本例では４個）の凸部１９を有している。そして、接続部２０では、複数の凸部１９の上面に振動素子１５の裏側の接続電極（図示せず）が対向するように振動素子１５が載置され、導電性接着剤２１によって固定および電気的接続が行われている。導電性接着剤２１は、複数の凸部１９の上面と振動素子１５との間、複数の凸部１９どうしの間、および複数の凸部１９の周囲に設けられている。このように、導電性接着剤２１が配設されていることにより、接続の表面積が大きくなり、接続強度を高めることができる。加えて、それぞれの凸部１９間の小空間（スリット）に導電性接着剤２１が毛細管現象によって配設されるためボイドが生じ難く、ボイドによる接続強度の低下を抑制することが可能となる。
【００４３】
凸部１９は、例えば金（Ａｕ）などの金属を用いたスタッドバンプ、あるいは半田バンプなどによって構成される。なお、本例では、４個の凸部１９が配置された構成を例示しているが、これに限らない。凸部１９は、振動素子１５の載置が好適にできること、および振動素子１５との接続を好適に行うことができればよく、単数であってもよいし、４個以外の複数であってもよい。また、凸部１９の配置は、規則性を有していない、所謂ランダムの配置であってもよい。
【００４４】
また、接続部２０は、振動素子１５の外周端部に有って、振動素子１５の中心Ｇを通る第１軸としての第１中心線ＣＬ１上、或いは第１中心線ＣＬ１と直交し、振動素子１５の中心Ｇを通る第２軸としての第２中心線ＣＬ２上に設けられることが好ましい。本構成では、図２（ａ）に示すＸ軸と図１（ａ）に示す第１中心線ＣＬ１とが重なる位置に、振動素子１５が配置されている。なお、本例では、接続部２０が、第１中心線ＣＬ１上の振動素子１５の外周端部に設けられている構成を例示している。さらに、接続部２０は、第１中心線ＣＬ１に対して±１０°以内の位置に設けること、即ち、振動素子１５のＸ軸に対して±１０°以内の位置に設けることが好ましい。発明者らは、後述するデータを含む各種確認結果から、少なくとも±１０°以内に接続部２０を位置させることにより、後述する好適な特性を得ることができることを確認することができた。
【００４５】
なお、本明細書中における振動素子１５の外周端部とは、図２（ａ）に斜め線のハッチングで示すような振動素子１５の外周縁２９に沿った帯状の領域であって、主面を正面において、その方向から視認する平面視において、外周縁２９から内側に励振電極１６，１７までの間に位置する領域をいう。
【００４６】
振動素子１５の外周端部に設けられている支持部としての第１支持部２５および第２支持部２８は、パッケージ１３の底板１１の内底面から突起状に設けられている。そして、第１支持部２５および第２支持部２８は、接続部２０が配置されている第１中心線ＣＬ１と直交する第２中心線ＣＬ２に対して±１０°の領域内に設けられている。即ち、接続部２０と第１支持部２５および第２支持部２８とは、接続部２０を頂点とした二等辺三角形の他の頂点の位置に概ね配置されることになる。なお、換言すると、本例における第１支持部２５および第２支持部２８は、接続部２０の設けられている第１軸としての第１中心線ＣＬ１を、振動素子１５の中心Ｇを基点として９０°回転した第３軸としての第２中心線ＣＬ２に対して、±１０°の領域内の外周端部に設けられていると言える。
【００４７】
このような範囲内に、第１支持部２５および第２支持部２８を配置することにより、前述の接続部２０の配置と同様に後述する好適な特性を得ることができる。つまり、振動素子１５の主面（表裏面）を正面において、その方向から視認する平面視で、接続部２０と第１支持部２５および第２支持部２８との間に振動素子１５の振動領域（励振電極１６，１７）を挟まずに、接続部２０と第１支持部２５および第２支持部２８とを配置することができる。これにより、加熱されたパッケージ１３に反りなどの変形が生じ、接続部２０と第１支持部２５および第２支持部２８との間の応力が大きくなったり、変化したりしても、振動領域に与える影響を減少させることができる。また、加えて、振動素子１５を支えることができる接続部２０と第１支持部２５および第２支持部２８との位置関係にあって、接続部２０と第１支持部２５および第２支持部２８との間の距離を短くすることができるため、加熱されたパッケージ１３の変形量（反り量）を減少させることができる。
なお、接続部２０が第２中心線ＣＬ２上に配置されている場合は、第１支持部２５および第２支持部２８が、第１中心線ＣＬ１上に配置されることになる。
【００４８】
また、支持部を構成する第１支持部２５および第２支持部２８は、第２中心線ＣＬ２に対して両側に一つずつ設けられていることが好ましい。このように、第１支持部２５および第２支持部２８が配置されていることにより、接続部２０および支持部（第１支持部２５および第２支持部２８）が、接続部２０を一つの頂点とした三点で配置されるため、振動素子１５の接続姿勢をより安定化させることが可能となる。
【００４９】
また、第１支持部２５および第２支持部２８は、接続部２０と併せて振動素子１５を支える保持機能を有している。第１支持部２５および第２支持部２８は、平面視で振動素子１５の少なくとも一部が重なるように設けられていればよく、パッケージ１３の底板１１の内底面に設けられたパッド６，７上に、金（Ａｕ）などの金属を用いた金属バンプである、例えばスタッドバンプ、金属メッキバンプ、あるいは半田バンプなどによって容易に形成することができる。なお、第１支持部２５および第２支持部２８は、パッケージ１３の底板１１の内底面に直接設けられる構成でもよい。
【００５０】
このように設けられた第１支持部２５および第２支持部２８によって、振動素子１５が支えられるため、振動素子１５の他端側、即ち接続部２０と反対側の振動素子１５の端部の変位を抑制することが可能となる。これにより、振動素子１５の接続姿勢を安定させることができ、さらには耐衝撃性を向上させることができる。また、振動素子１５を接続部２０上に載置し、導電性接着剤２１によって接続する際にも、振動素子１５の姿勢を安定させること、即ち振動素子１５が他端側、即ち接続部２０と反対側の振動素子１５の端部に傾いてしまうことを防止することができ、振動素子１５の接続を簡便に行うことが可能となる。
【００５１】
（蓋部材としてのリッド）
リッド２６は、板状の部材であり、パッケージ１３の上面に開放する凹部の開口を塞ぎ、凹部の開口の周囲を、例えばシーム溶接法などを用いて接合されている。本例のリッド２６は、板状であるため、形成が行い易く、さらには形状の安定性にも優れる。また、本例のリッド２６には、コバールの板材が用いられている。リッド２６にコバールの板を用いることで封止の際に、コバールで形成されているシームリングとリッド２６とが同じ溶融状態で溶融され、さらには合金化もされ易いため封止を容易に、且つ確実に行うことができる。なお、リッド２６には、コバールに換えて他の材料の板材を用いてもよく、例えば、４２アロイ、ステンレス鋼などの金属材料、またはパッケージ１３の側壁１２と同材料などを用いることができる。
【００５２】
また、上述した第１支持部２５および第２支持部２８は、下記式（１）のような関係に、その高さΔｔを構成することが好ましい。これについて、変形例に係る振動子１Ａを用い、図３を参照して説明する。図３は、変形例に係る振動子１Ａの概略構成と、加熱による変形を説明する図であり、図３（ａ）は、正面図、図３（ｂ）は、変形量を示すグラフである。なお、図３（ａ）では、説明の便宜上、図１および図２で説明した振動子１と同じ構成部位である、例えばパッケージを構成する側壁やリッドなどの他の部位を省略している。また、同様な構成については、同符号を付して説明を省略することがある。
【００５３】
０．００１８×Ｌ／Ｔ≦Δｔ・・・（１）
このとき、図３（ａ）に示すように、第１支持部２５および第２支持部２８の底板（ベース基板）１１Ａからの高さをΔｔ、底板（ベース基板）１１Ａの厚さをＴ、接続部２０の設けられている第１中心線ＣＬ１（図１参照）上または第２中心線ＣＬ２（図１参照）上における振動素子１５の長さをＬとする。
【００５４】
（振動子の変形例）
図３（ａ）に示す、変形例に係る振動子１Ａは、パッケージを構成するベース基板としての底板１１Ａの振動素子１５の配置されている一方側と表裏の関係となる他方側に、パワートランジスターなどの加熱素子３０が接続されている。また、加熱素子３０が設けられている領域のベース基板としての底板１１Ａと加熱素子３０の間には、熱伝導層３１が設けられている。そして、振動素子１５は、接続部２０によって底板１１Ａに接続されている。このような構成の振動子１Ａでは、加熱素子３０によって底板１１Ａが加熱されると、底板１１Ａは、図中矢印の方向に反りを生じ、２点鎖線で示す底板１１Ｂのように変形する。図３（ｂ）のグラフには、底板１１Ａの厚さＴと底板１１Ａの端部における変形量ΔＴとの関係が示されている。図３（ｂ）に示されているように、底板１１Ａの厚さＴと変形量ΔＴには相関が見られ、底板１１Ａの厚さＴが小さい（底板１１Ａが薄い）程、変形量ΔＴが大きくなることが分かる。
【００５５】
しかしながら、上述の式（１）に示すような関係で、第１支持部２５および第２支持部２８の高さΔｔを構成することにより、例えば、加熱素子３０による加熱によって底板１１Ａに変形を生じても、底板１１Ａと振動素子１５との接触の発生を防止することができる、これにより、振動素子１５に底板１１Ａが接触することによる振動子１Ａの特性劣化を防止することが可能となる。
【００５６】
図３（ａ）に示す振動子１Ａによれば、パワートランジスターなどの加熱素子３０によって加熱された底板１１Ａの熱エネルギーを接続部２０および／または支持部（第１支持部２５、第２支持部２８）を介して有効に振動素子１５に伝導することが可能となる。これにより、振動素子１５を所定の恒温状態に保つことが可能となり、使用環境の温度変化による周波数精度を高めた振動子１Ａを提供することが可能となる。
また、底板１１Ａと加熱素子３０の間に熱伝導層３１が設けられていることから、加熱素子３０によって生じた熱エネルギーを熱伝導層３１によって広い面積に拡散することができ、広い面積で底板１１Ａを加熱することができる。これにより底板１１Ａを均一な温度で温める（加温する）ことが可能となる。
【００５７】
なお、上述の振動子１，１Ａにおける接続部２０、第１支持部２５、および第２支持部２８は、例えばパッケージ１３の底板１１の一部として構成してもよいし、あるいは電極パターンの一部として設けるなどでもよい。
また、上述の例では、支持部として第１支持部２５および第２支持部２８が設けられている例で説明したが、支持部の数は問わない。
【００５８】
第１実施形態に係る振動子１および変形例に係る振動子１Ａによれば、接続部２０は、第１軸としての第１中心線ＣＬ１上に設けられており、支持部としての第１支持部２５および第２支持部２８は、接続部２０の設けられている第１中心線ＣＬ１に対して９０°±１０°の領域の内にある第２中心線ＣＬ２上に設けられている。このような配置により、平面視で、振動素子１５の振動領域（励振電極１６，１７）を間に挟まずに、接続部２０と第１支持部２５および第２支持部２８とを配置することができる。これにより、加熱されたパッケージ１３に反りなどの変形が生じ、接続部２０と第１支持部２５および第２支持部２８との間の応力が大きくなったり、変化したりしても、振動領域に与える影響を減少させることができる。
【００５９】
また、加えて、振動素子１５を支えることができる接続部２０と第１支持部２５および第２支持部２８との位置関係にあって、接続部２０と第１支持部２５および第２支持部２８との間の距離を短くすることができるため、加熱されたパッケージ１３の変形量（反り量）を減少させることができる。
【００６０】
これらにより、振動子１，１Ａが外部から加熱され、熱膨張によってパッケージ１３に反りなどの変形を生じた場合に、振動素子１５の特性にその影響を与え難くなり、例えば温度特性などの振動子１，１Ａの特性劣化を防止することが可能となる。以下、本実施形態に係る振動子１，１Ａのそれぞれの特性における効果の検証結果について、グラフを用いて説明する。
【００６１】
図４、および図５に上述した振動子１，１Ａの種々の特性の確認結果を示す。図４（ａ）は、本発明の実施形態および変形例に係る振動子１，１Ａの周波数温度特性を示すグラフであり、図４（ｂ）は、比較例に係る従来例の振動子の周波数温度特性を示すグラフである。なお、図４（ｂ）に示すグラフでは、従来例の振動子における温度特性の異常現象を説明するため、異常現象を示すサンプルのデータを選び出して表示している。また、図５（ａ）は、本発明の実施形態および変形例に係る振動子１，１Ａの起動時間を示すグラフであり、図５（ｂ）は、比較例に係る従来例の振動子の起動時間を示すグラフである。
【００６２】
先ず、図４のグラフを参照して、振動子の周波数温度特性について説明する。図４（ａ）、図４（ｂ）ともに、横軸に振動子を投入した恒温槽温度［℃］を示し、縦軸には周波数の変化率（ΔＦ／Ｆ［ｐｐｂ］）を示し、振動子の各温度における周波数の状態を表示している。なお、図４（ａ）、図４（ｂ）ともに、サンプル数４個（ｎ＝４）である。
【００６３】
従来例に係る振動子では、図４（ｂ）に示すように、ある温度を変曲点として周波数の変化が異常に大きくなる（周波数変化の傾きが大きくなる）、所謂Ｆ飛び（周波数飛び）現象を生じることがある。この現象は、例えば加熱によるパッケージ変形などにより振動素子に加わる応力が変化し、振動モードに影響を与えていると推測されている。
【００６４】
これに対し、本実施形態および変形例に係る振動子１，１Ａでは、図４（ａ）に示すように、周波数温度特性は略直線的に変化し、その変化量も極めて少ない。このように、本実施形態および変形例に係る振動子１，１Ａの構成を適用することにより、例えば加熱によるパッケージの変形などを生じても、周波数温度特性の異常の発生を防止することができる。
【００６５】
次に、図５のグラフを参照して、振動子の起動特性について説明する。図５（ａ）、図５（ｂ）ともに、横軸に、振動子に電源を入れてからの経過時間、即ち振動子を起動させてからの経過時間［ｍｉｎ．］、縦軸に、周波数の変化率（ΔＦ／Ｆ［ｐｐｂ］）を示し、振動子の起動からの経過時間における周波数の状態を表示している。なお、図５（ａ）では、サンプル数５個（ｎ＝５）であり、図５（ｂ）では、サンプル数１１個（ｎ＝１１）である。
【００６６】
従来例に係る振動子では、図５（ｂ）に示すように、起動後の周波数変化が小さくなる（周波数が安定する）までの経過時間が長く（１０分程度）かかってしまったり、本グラフに表示されている時間（５０分）内には周波数の安定領域に入らなかったりするものが見られる。即ち、起動後の周波数変化が安定領域に入るまでの経過時間のばらつきが大きいことが分かる。このような起動後の周波数が安定し難い現象は、振動素子に何らかの応力、例えば加熱によるパッケージ変形などにより生じる応力が加わっており、この応力が徐々に解放されていくことによって起こるものと推測されている。
【００６７】
これに対し、本実施形態および変形例に係る振動子１，１Ａでは、図５（ａ）に示すように、起動後数分以内に周波数の安定領域に入っていることが分かる。このように、本実施形態および変形例に係る振動子１，１Ａの構成を適用することにより、例えば加熱によるパッケージの変形などによって振動素子１５が受ける応力に変動があっても、その影響を受け難くなり、起動後に周波数が安定するまでの経過時間のばらつきを小さくするとともに、周波数が安定するまでの経過時間を短縮することができる。即ち、本実施形態および変形例に係る振動子１，１Ａでは、起動特性を向上させることができる。
【００６８】
（振動素子の変形例）
次に、図６および図７を用いて、振動素子の変形例について説明する。図６に示す変形例に係る振動素子１５Ａでは、接続部２０Ａと、支持部としての第１支持部２５Ａおよび第２支持部２８Ａとの配置が、第１実施形態の振動素子１５と異なる。なお、図６は、振動素子の接続部における変形例を示す平面図である。図７は、変形例の振動素子を用いた振動子のリフロー特性（周波数変化）を示すグラフである。また、本変形例の説明では、上述の第１実施形態と同様な構成については、同符号を付して説明を省略する、あるいは簡略化することがある。
【００６９】
図６に示す振動素子１５Ａは、第１実施形態の振動素子１５と同様なＳＣカット水晶基板（圧電基板）から切り出された円盤状の素子片１８に、種々の電極が形成されている。本例では、種々の電極として、表側の主面に形成された励振電極１６および励振電極１６から外周縁２９に向って延出している接続電極２７と、表の主面と表裏の関係にある裏側の主面に形成された励振電極１７および図示しない接続電極とが設けられている。表裏の励振電極１６，１７は、素子片１８の中央部に略円形をなして設けられている。
【００７０】
本変形例において、接続部２０Ａは、水晶結晶軸のＸ軸に対して、Ｙ軸回りに１０°（支持角Ψ）傾いた第１軸としての中心線Ｃ１上の振動素子１５Ａの外周端部に設けられる。また、支持部としての第１支持部２５Ａおよび第２支持部２８Ａは、接続部２０Ａが配置されている中心線Ｃ１と直交する第２軸としての中心線Ｃ２上の振動素子１５Ａの外周端部に設けられる。そして、前述した図２に示す振動子１と同様に、振動素子１５Ａは、第１軸としての第１中心線ＣＬ１（図１参照）と中心線Ｃ１が重なるようにパッケージ１３（図１参照）に接続される。即ち、水晶結晶軸のＸ軸に対してＹ軸回りに１０°傾いた位置の外周端部に設けられた接続部２０Ａで振動素子１５Ａがパッケージ１３に接続され、加えて接続部２０Ａに対して９０°および２７０°傾いた位置に設けられた第１支持部２５Ａおよび第２支持部２８Ａで振動素子１５Ａが支持される。
【００７１】
このように、水晶結晶軸のＸ軸に対して、Ｙ軸回りに１０°傾いた中心線Ｃ１上に、振動素子１５Ａの接続部２０Ａが設けられた構成の振動素子１５Ａを用いた振動子は、温度変化に係る特性、例えば高温を加えた後の周波数の変化率（リフロー特性）などを安定させることができる。
【００７２】
確認結果を図７のグラフに示し説明する。図７は、変形例の振動素子１５Ａを用いた振動子のリフロー特性（周波数変化）を示すグラフである。このグラフでは、水晶結晶軸のＸ軸に対してＹ軸回りに所定の角度（支持角Ψ）傾けた位置に接続部２０Ａを設けた振動素子１５Ａ（振動子）のリフロー特性（周波数変化率）を示し、横軸に支持角Ψ、縦軸にリフロー処理前とリフロー処理の１時間後との周波数変化率（ΔＦ［ｐｐｂ］）を示している。なお、ここでのリフロー処理とは、２５０℃の温度を振動子に３分間加える処理をいう。図７に示されているように、支持角Ψが、１０°、１００°、１９０°（−１７０°）、２９０°（−８０°）において、リフロー処理前後の周波数変化をほとんど生じていないことが分かる。換言すれば、発明者らは、Ｘ軸から１０°傾いた角度（支持角Ψ）に、接続部２０Ａや第１支持部２５Ａおよび第２支持部２８Ａを設けることによる影響を受け難い配置位置、具体的にはリフロー特性における周波数変化をほとんど生じない良好な配置位置があることを見出した。
【００７３】
このように、水晶結晶軸のＸ軸に対して、Ｙ軸回りに１０°傾いた第１軸としての中心線Ｃ１上に、振動素子１５Ａの接続部２０Ａを設けることにより、水晶振動素子（ＳＣカット水晶振動素子）に加熱による応力が加わった場合の、特性に対する影響を小さくすることが可能であり、例えばリフロー特性（周波数変化率）などを向上させることが可能となる。
【００７４】
なお、前述では、振動素子１５，１５Ａを形成する圧電材料として水晶を用いて説明したが、圧電材料としてはこれに限らず、例えばタンタル酸リチウム、ニオブ酸リチウム等の圧電材料を用いることもできる。また、シリコンあるいはガラス基板上に振動素子を形成するＭＥＭＳ（Ｍｉｃｒｏ  Ｅｌｅｃｔｒｏ  Ｍｅｃｈａｎｉｃａｌ  Ｓｙｓｔｅｍｓ）素子でもよい。また、シリコンあるいはガラス基板などの基板上に振動体を形成する振動素子であってもよい。
【００７５】
＜第２実施形態＞
次に、図８を用い、本発明の第２実施形態に係る発振器について説明する。図８は、本発明の第２実施形態に係る発振器の概略を示す正断面図である。なお、本形態の発振器１５０では、振動子として上述の第１実施形態に例示された振動子１を用いている。したがって、振動子１の説明では実施形態１と同符号を付し、その説明を省略する。
【００７６】
（発振器）
図８に示す、第２実施形態に係る発振器１５０について説明する。発振器１５０は、プリント基板１０１ａ上に被せられた金属又は樹脂製のキャップ１５５によって形成された内部空間２２４を有している。キャップ１５５は、プリント基板１０１ａ上に半田１２３などを用いて接続されている。この内部空間２２４は、非気密、即ち大気開放されていてもよいし、気密空間であってもよい。ここで、内部空間２２４を構成するプリント基板１０１ａおよびキャップ１５５をパッケージと呼ぶ。
【００７７】
内部空間２２４には、プリント基板１０１ａに接続板１０５によって接続されている上述の第１実施形態に例示された振動子１と、振動子１の裏面に設けられている熱伝導層１０９に接続されている加熱素子１０６と、プリント基板１０１ａ上に接続されている回路素子１１０とを備えている。振動子１は、加熱素子１０６が接続されている裏面を、プリント基板１０１ａに対向するように配置され、プリント基板１０１ａに接続板１０５を介して接続されている。なお、接続板１０５は、振動子１とプリント基板１０１ａとの電気的な接続を図る機能も有している。回路素子１１０は、振動子１および加熱素子１０６を制御する機能を少なくとも有している。また、振動子１の裏面には、加熱素子１０６に加えて、他の回路構成部品１２１を備えていてもよい。また、プリント基板１０１ａ上には、回路素子１１０に加えて、他の回路構成部品１２０を備えていてもよい。プリント基板１０１ａの裏面（外面）には、外部接続端子１２２が設けられている。外部接続端子１２２は、図示しないが、回路素子１１０、他の回路構成部品１２０などと電気的接続がされている。
【００７８】
熱伝導層１０９は、加熱素子１０６から発生する熱エネルギーを効率よく振動子１に伝導させるために設けられている。したがって、図示しないが、熱伝導層１０９の外形（外縁）は、加熱素子１０６の外形（外縁）が内に含まれるように設けられていることが望ましい、換言すれば、平面視で、熱伝導層１０９の外形の方が加熱素子１０６の外形より大きく設けられている。このように熱伝導層１０９を設けることにより、加熱素子１０６によって生じた熱エネルギーを熱伝導層１０９によって広い面積に拡散することができ、広い面積でパッケージ１３の底板１１を加熱することができる。これによりパッケージ１３の底板１１を均一な温度で温める（加温する）ことが可能となり、内蔵された振動素子（図示せず）の加熱も安定して行うことができる。
【００７９】
（加熱素子）
加熱素子１０６は、前述のように振動子１の底板１１の外面（裏面）に設けられている熱伝導層１０９に樹脂接着剤などによって接続されている。加熱素子１０６は、平面視で略矩形状の素子であり、通電することにより発熱を行う機能を有している、加熱素子１０６は、例えばパワートランジスターを用いることができる。加熱素子１０６としてパワートランジスターを用いることにより、パワートランジスターによって発生させた熱を、有効に底板１１（パッケージ１３）の加熱に利用することができ、即ち振動子１（振動素子）を有効に加熱することができる。これにより、加熱効率を高め、発振器１５０の小型化に寄与できる。加熱素子１０６の振動子１との接続面と表裏の関係にある主面には、図示しないパッドが設けられており、このパッドと前述した振動子１の底板１１の外面（裏面）に設けられている端子電極１０８とが図示しない金属配線（ボンディングワイヤー）などによって電気的導通をとって接続されている。
【００８０】
（回路素子）
回路素子１１０は、プリント基板１０１ａ上に導電性接着剤などによって接続されている。回路素子１１０は、例えば振動子１の振動素子１５を発振させる発振回路、あるいは加熱素子１０６の温度制御を行う制御回路などを備えている。回路素子１１０の能動面には図示しないパッド電極が設けられており、このパッド電極と、プリント基板１０１ａ上に設けられた図示しない電極とが、図示しない金属配線（ボンディングワイヤー）などによって電気的導通をとって接続されている。なお、図示しないが、該電極は、加熱素子１０６、振動子１などの各構成部位と電気的に接続されている。
【００８１】
以上説明した第２実施形態に係る発振器１５０によれば、温度特性などの振動特性を向上させた振動子１と回路素子１１０とを同一パッケージ内に収納しているため、温度特性などの特性を安定化させることができる。また、所定の恒温状態に保たれた振動子１を用いることにより、使用環境の温度変化による特性変動を抑制した発振器１５０を提供することが可能となる。
【００８２】
なお、上述の第２実施形態では、振動子１のパッケージ１３の底板１１とプリント基板１０１ａとが対向するように、振動子１が配置されていたがこれに限らず、振動子１を構成するリッド２６とプリント基板１０１ａとが対向するように、振動子１が配置されていてもよい。このような配置の発振器においても、上述の第２実施形態に係る発振器１５０と同様な効果を有している。
【００８３】
また、上述の第２実施形態では、パッケージとしてのプリント基板１０１ａとキャップ１５５とによって形成される内部空間２２４に、振動子１、加熱素子１０６、および回路素子１１０などの構成部品を収納した例を説明したが、回路素子１１０を除いた構成である振動子とすることも可能である。このような構成の振動子によれば、第１実施形態の振動子１の効果に加え、前述した第２実施形態と同様に、振動素子１５を所定の恒温状態に保つことが可能となり、使用環境の温度変化による周波数の変動を抑制可能な、所謂周波数温度特性の精度を高めた振動子を提供することが可能となる。
【００８４】
［電子機器］
次いで、本発明の一実施形態に係る振動子１，１Ａ、発振器１５０を適用した電子機器について、図９〜図１１に基づき、詳細に説明する。なお、説明では、振動素子１５を備えた振動子１を適用した例を示している。
【００８５】
図９は、本発明の一実施形態に係る振動子１を備える電子機器としてのモバイル型（又はノート型）のパーソナルコンピューターの構成の概略を示す斜視図である。この図において、パーソナルコンピューター１１００は、キーボード１１０２を備えた本体部１１０４と、表示部１００を備えた表示ユニット１１０６とにより構成され、表示ユニット１１０６は、本体部１１０４に対しヒンジ構造部を介して回動可能に支持されている。このようなパーソナルコンピューター１１００には、信号処理のタイミング源としての機能を備えた振動子１が内蔵されている。
【００８６】
図１０は、本発明の一実施形態に係る振動子１を備える電子機器としての携帯電話機（ＰＨＳも含む）の構成の概略を示す斜視図である。この図において、携帯電話機１２００は、複数の操作ボタン１２０２、受話口１２０４および送話口１２０６を備え、操作ボタン１２０２と受話口１２０４との間には、表示部１００が配置されている。このような携帯電話機１２００には、信号処理のタイミング源としての機能を備えた振動子１が内蔵されている。
【００８７】
図１１は、本発明の一実施形態に係る振動子１を備える電子機器としてのデジタルスチールカメラの構成の概略を示す斜視図である。なお、この図には、外部機器との接続についても簡易的に示されている。ここで、従来のフィルムカメラは、被写体の光像により銀塩写真フィルムを感光するのに対し、デジタルスチールカメラ１３００は、被写体の光像をＣＣＤ（Charge Coupled Device）等の撮像素子により光電変換して撮像信号（画像信号）を生成する。
【００８８】
デジタルスチールカメラ１３００におけるケース（ボディー）１３０２の背面には、表示部１００が設けられ、ＣＣＤによる撮像信号に基づいて表示を行う構成になっており、表示部１００は、被写体を電子画像として表示するファインダーとして機能する。また、ケース１３０２の正面側（図中裏面側）には、光学レンズ（撮像光学系）やＣＣＤ等を含む受光ユニット１３０４が設けられている。
【００８９】
撮影者が表示部１００に表示された被写体像を確認し、シャッターボタン１３０６を押下すると、その時点におけるＣＣＤの撮像信号が、メモリー１３０８に転送、格納される。また、このデジタルスチールカメラ１３００においては、ケース１３０２の側面に、ビデオ信号出力端子１３１２と、データ通信用の入出力端子１３１４とが設けられている。そして、図示されるように、ビデオ信号出力端子１３１２にはテレビモニター１４３０が、データ通信用の入出力端子１３１４にはパーソナルコンピューター１４４０が、それぞれ必要に応じて接続される。さらに、所定の操作により、メモリー１３０８に格納された撮像信号が、テレビモニター１４３０や、パーソナルコンピューター１４４０に出力される構成になっている。このようなデジタルスチールカメラ１３００には、信号処理のタイミング源としての機能を備えた振動子１が内蔵されている。
【００９０】
なお、本発明の一実施形態に係る振動子１は、図９のパーソナルコンピューター（モバイル型パーソナルコンピューター）、図１０の携帯電話機、図１１のデジタルスチールカメラの他にも、例えば、インクジェット式吐出装置（例えばインクジェットプリンター）、ラップトップ型パーソナルコンピューター、テレビ、ビデオカメラ、ビデオテープレコーダー、カーナビゲーション装置、ページャー、電子手帳（通信機能付も含む）、電子辞書、電卓、電子ゲーム機器、ワードプロセッサー、ワークステーション、テレビ電話、防犯用テレビモニター、電子双眼鏡、ＰＯＳ端末、医療機器（例えば電子体温計、血圧計、血糖計、心電図計測装置、超音波診断装置、電子内視鏡）、魚群探知機、各種測定機器、計器類（例えば、車両、航空機、船舶の計器類）、フライトシミュレーター等の電子機器に適用することができる。なお、前述した第２実施形態、第３実施形態で説明した加熱素子１０６を備えた振動子１，１Ａ、発振器１５０などを用いれば、通信基地局などの温度環境の厳しい条件下で使用される電子機器に好適である。
【００９１】
［移動体］
次いで、本発明の一実施形態に係る振動子１，１Ａ、発振器１５０を適用した移動体について、図１２に基づき、詳細に説明する。なお、説明では、振動素子１５を備えた振動子１を適用した例を示している。図１２は移動体の一例としての自動車を概略的に示す斜視図である。自動車５０６には本発明に係る振動子１が搭載されている。例えば、同図に示すように、移動体としての自動車５０６には振動子１を内蔵してタイヤ５０９などを制御する電子制御ユニット５０８が車体５０７に搭載されている。また、振動子１は、他にもキーレスエントリー、イモビライザー、カーナビゲーションシステム、カーエアコン、アンチロックブレーキシステム（ＡＢＳ）、エアバック、タイヤ・プレッシャー・モニタリング・システム（ＴＰＭＳ：Tire Pressure Monitoring System）、エンジンコントロール、ハイブリッド自動車や電気自動車の電池モニター、車体姿勢制御システム、等の電子制御ユニット（ＥＣＵ：electronic control unit）に広く適用できる。
【符号の説明】
【００９２】
１，１Ａ…振動子、６，７…パッド、８…端子電極、９…熱伝導層、１１，１１Ａ…底板、１２…側壁、１３…パッケージ、１４…内部空間（凹部）、１５，１５Ａ…振動素子、１６，１７…励振電極、１８…素子片、１９…凸部、２０…接続部、２１…導電性接着剤、２２，２３…ＰＡＤ電極、２４…金属配線（ボンディングワイヤー）、２５…支持部としての第１支持部、２６…リッド、２７…接続電極、２７ａ，２７ｂ…端辺、２８…支持部としての第２支持部、２９…外周縁、３０，１０６…加熱素子、１１０…回路素子、１５０…発振器、５０６…移動体としての自動車、１１００…電子機器としてのモバイル型のパーソナルコンピューター、１２００…電子機器としての携帯電話機、１３００…電子機器としてのデジタルスチールカメラ、ＣＬ１…第１軸としての第１中心線、ＣＬ２…第２軸としての第２中心線、Ｇ…中心、Ｃ１，Ｃ２…振動素子の中心線、ＬＷ１，ＬＷ２…仮想線。
【図１】
0006634678.tif 000002
【図２】
0006634678.tif 000003
【図３】
0006634678.tif 000004
【図４】
0006634678.tif 000005
【図５】
0006634678.tif 000006
【図６】
0006634678.tif 000007
【図７】
0006634678.tif 000008
【図８】
0006634678.tif 000009
【図９】
0006634678.tif 000010
【図１０】
0006634678.tif 000011
【図１１】
0006634678.tif 000012
【図１２】
0006634678.tif 000013